(57)【要約】【課題】  連絡機関や救助機関が常にユーザの位置を確認することが可能な無線ＬＡＮシステムを提供する。【解決手段】  無線ＬＡＮ搭載カメラ１−１〜１−５及び無線ＬＡＮのアクセスポイント３−１，３−２は屋内・屋外を問わず、あらゆる場所に重点的に配置されている。ユーザは出発時に無線ＬＡＮ搭載携帯端末４−１〜４−６を用いて、出発の旨や到着予定時刻等の情報を管理者サーバ２を通して連絡機関５や救助機関６に送り、連絡機関５や救助機関６はユーザの位置情報を確認する。ユーザは出発後、ユーザの無線ＬＡＮ搭載携帯端末４−１〜４−６を用いてユーザの位置情報を一定の時間毎に自動的に管理者サーバ２に通知する。無線ＬＡＮ搭載携帯端末４−１〜４−６によって確認することのできる現在のユーザ自身の位置情報と事故発生とが無線ＬＡＮ通信によって管理者サーバ２へと送られ、管理者サーバ２から連絡機関５や救助機関６に通知される。【選択図】      図１
2007116296.tif 000002
【特許請求の範囲】
【請求項１】
無線ＬＡＮ（Ｌｏｃａｌ  Ａｒｅａ  Ｎｅｔｗｏｒｋ）通信にて現在位置情報を通知する無線ＬＡＮ搭載携帯端末と、
前記無線ＬＡＮ搭載携帯端末から通知される現在位置情報を管理する管理者サーバ装置と、
前記無線ＬＡＮ搭載携帯端末と前記管理者サーバ装置との間の前記無線ＬＡＮ通信を中継するアクセスポイントと、
前記アクセスポイントの通信可能範囲内に設けられかつ前記管理者サーバ装置から遠隔操作可能な無線ＬＡＮ搭載カメラとを有し、
前記管理者サーバ装置が前記無線ＬＡＮ搭載カメラからの映像に基づいた処理結果を前記無線ＬＡＮ搭載携帯端末に通知することを特徴とする無線ＬＡＮシステム。
【請求項２】
前記管理者サーバ装置は、前記無線ＬＡＮ搭載携帯端末から予め設定された所定時間毎に通知される現在位置情報を管理することを特徴とする請求項１記載の無線ＬＡＮシステム。
【請求項３】
前記管理者サーバ装置は、情報提供を行うための連絡機関及び救助活動を行うための救助機関のうちの少なくとも一方に前記無線ＬＡＮ搭載携帯端末から通知されかつ予め設定された予定情報と前記現在位置情報とを転送することを特徴とする請求項１または請求項２記載の無線ＬＡＮシステム。
【請求項４】
前記管理者サーバ装置は、事故発生時に当該事故の当事者の前記無線ＬＡＮ搭載携帯端末から通知される前記現在位置情報に対応する前記無線ＬＡＮ搭載カメラからの映像を前記連絡機関及び前記救助機関のうちの少なくとも一方に転送することを特徴とする請求項３記載の無線ＬＡＮシステム。
【請求項５】
前記管理者サーバ装置は、前記事故の当事者の前記無線ＬＡＮ搭載携帯端末に当該当事者が必要とする情報を送信することを特徴とする請求項３または請求項４記載の無線ＬＡＮシステム。
【請求項６】
前記管理者サーバ装置は、前記事故の当事者の前記無線ＬＡＮ搭載携帯端末に安全な場所への案内情報を送信することを特徴とする請求項５記載の無線ＬＡＮシステム。
【請求項７】
前記管理者サーバ装置は、前記無線ＬＡＮ搭載カメラからの映像を前記無線ＬＡＮ搭載携帯端末に転送することを特徴とする請求項１記載の無線ＬＡＮシステム。
【請求項８】
前記無線ＬＡＮ搭載携帯端末が他端末との間で前記無線ＬＡＮ通信にて相互通信を行うことを特徴とする請求項１から請求項７のいずれか記載の無線ＬＡＮシステム。
【請求項９】
無線ＬＡＮ（Ｌｏｃａｌ  Ａｒｅａ  Ｎｅｔｗｏｒｋ）通信にて現在位置情報を通知する無線ＬＡＮ搭載携帯端末から通知される現在位置情報を管理する手段と、前記無線ＬＡＮ搭載携帯端末との間の前記無線ＬＡＮ通信を中継するアクセスポイントの通信可能範囲内に設けられた無線ＬＡＮ搭載カメラを遠隔操作する手段と、前記無線ＬＡＮ搭載カメラからの映像に基づいた処理結果を前記無線ＬＡＮ搭載携帯端末に通知する手段とを有することを特徴とする管理者サーバ装置。
【請求項１０】
前記無線ＬＡＮ搭載携帯端末から予め設定された所定時間毎に通知される現在位置情報を管理することを特徴とする請求項９記載の管理者サーバ装置。
【請求項１１】
情報提供を行うための連絡機関及び救助活動を行うための救助機関のうちの少なくとも一方に前記無線ＬＡＮ搭載携帯端末から通知されかつ予め設定された予定情報と前記現在位置情報とを転送することを特徴とする請求項９または請求項１０記載の管理者サーバ装置。
【請求項１２】
事故発生時に当該事故の当事者の前記無線ＬＡＮ搭載携帯端末から通知される前記現在位置情報に対応する前記無線ＬＡＮ搭載カメラからの映像を前記連絡機関及び前記救助機関のうちの少なくとも一方に転送することを特徴とする請求項１１記載の管理者サーバ装置。
【請求項１３】
前記事故の当事者の前記無線ＬＡＮ搭載携帯端末に当該当事者が必要とする情報を送信することを特徴とする請求項１１または請求項１２記載の管理者サーバ装置。
【請求項１４】
前記事故の当事者の前記無線ＬＡＮ搭載携帯端末に安全な場所への案内情報を送信することを特徴とする請求項１３記載の管理者サーバ装置。
【請求項１５】
前記無線ＬＡＮ搭載カメラからの映像を前記無線ＬＡＮ搭載携帯端末に転送することを特徴とする請求項９記載の管理者サーバ装置。
【請求項１６】
管理者サーバ装置が、無線ＬＡＮ（Ｌｏｃａｌ  Ａｒｅａ  Ｎｅｔｗｏｒｋ）通信にて現在位置情報を通知する無線ＬＡＮ搭載携帯端末から通知される現在位置情報を管理する処理と、前記無線ＬＡＮ搭載携帯端末との間の前記無線ＬＡＮ通信を中継するアクセスポイントの通信可能範囲内に設けられた無線ＬＡＮ搭載カメラを遠隔操作する処理と、前記無線ＬＡＮ搭載カメラからの映像に基づいた処理結果を前記無線ＬＡＮ搭載携帯端末に通知する処理とを実行することを特徴とする情報提供方法。
【請求項１７】
前記管理者サーバ装置が、前記無線ＬＡＮ搭載携帯端末から予め設定された所定時間毎に通知される現在位置情報を管理することを特徴とする請求項１６記載の情報提供方法。
【請求項１８】
前記管理者サーバ装置が、情報提供を行うための連絡機関及び救助活動を行うための救助機関のうちの少なくとも一方に前記無線ＬＡＮ搭載携帯端末から通知されかつ予め設定された予定情報と前記現在位置情報とを転送することを特徴とする請求項１６または請求項１７記載の情報提供方法。
【請求項１９】
前記管理者サーバ装置が、事故発生時に当該事故の当事者の前記無線ＬＡＮ搭載携帯端末から通知される前記現在位置情報に対応する前記無線ＬＡＮ搭載カメラからの映像を前記連絡機関及び前記救助機関のうちの少なくとも一方に転送することを特徴とする請求項１８記載の情報提供方法。
【請求項２０】
前記管理者サーバ装置が、前記事故の当事者の前記無線ＬＡＮ搭載携帯端末に当該当事者が必要とする情報を送信することを特徴とする請求項１８または請求項１９記載の情報提供方法。
【請求項２１】
前記管理者サーバ装置が、前記事故の当事者の前記無線ＬＡＮ搭載携帯端末に安全な場所への案内情報を送信することを特徴とする請求項２０記載の情報提供方法。
【請求項２２】
前記管理者サーバ装置が、前記無線ＬＡＮ搭載カメラからの映像を前記無線ＬＡＮ搭載携帯端末に転送することを特徴とする請求項１６記載の情報提供方法。
【請求項２３】
前記無線ＬＡＮ搭載携帯端末が他端末との間で前記無線ＬＡＮ通信にて相互通信を行うことを特徴とする請求項１６から請求項２２のいずれか記載の情報提供方法。
【請求項２４】
管理者サーバ装置のコンピュータに、無線ＬＡＮ（Ｌｏｃａｌ  Ａｒｅａ  Ｎｅｔｗｏｒｋ）通信にて現在位置情報を通知する無線ＬＡＮ搭載携帯端末から通知される現在位置情報を管理する処理と、前記無線ＬＡＮ搭載携帯端末との間の前記無線ＬＡＮ通信を中継するアクセスポイントの通信可能範囲内に設けられた無線ＬＡＮ搭載カメラを遠隔操作する処理と、前記無線ＬＡＮ搭載カメラからの映像に基づいた処理結果を前記無線ＬＡＮ搭載携帯端末に通知する処理とを実行させるためのプログラム。
【発明の詳細な説明】
【技術分野】
【０００１】
本発明は無線ＬＡＮシステム、管理者サーバ装置及びそれに用いる情報提供方法並びにそのプログラムに関し、特に遭難や事故、及び混雑時における連絡及び道案内等の情報を提供する方法に関する。
【背景技術】
【０００２】
従来、この種の情報提供方法としては、アウトドアガイドナビゲーションシステムによる方法がある（例えば、特許文献１参照）。上記のアウトドアガイドナビゲーションシステムは、サーバ、インタネット、ユーザ端末、電話網、基地局、ＰＤＡ（Ｐｅｒｓｏｎａｌ  Ｄｉｇｉｔａｌ  Ａｓｓｉｓｔａｎｔ）とから構成されている。
【０００３】
このアウトドアガイドナビゲーションシステムでは、位置情報及びそれに関連付けられた予定時刻情報を含むユーザの予定ルート情報を予めサーバに記憶しておき、ＰＤＡからユーザの現在地情報を取得し、現在地情報に基づくガイド情報をＰＤＡに出力している。
【０００４】
そのため、このアウトドアガイドナビゲーションシステムでは、位置に関連する情報しか提供することができず、カメラ等で実際の映像をリアルタイムに取得し、想定外の状況に応じた情報を提供することができない。
【０００５】
【特許文献１】特開２００１−２０２７４２号公報
【発明の開示】
【発明が解決しようとする課題】
【０００６】
上述した従来の情報提供方法では、遭難時等の連絡手段として携帯電話機や公衆電話機が用いられており、僻地で従来の携帯電話機の基地局が存在しない場所、混雑する場所等で従来の携帯電話機の電波が圏外となりうる場所、携帯電話機の普及によって増加している公衆電話機が未設置の場所に対応していないという問題がある。
【０００７】
また、従来の情報提供方法では、位置情報の確認に衛星が使われることが多く、カメラ等で実際の現地の映像をリアルタイムかつユーザの目線で見ることによって現在の状況に応じた指示を出すことが困難であるという問題がある。
【０００８】
さらに、従来の情報提供方法では、無線ＬＡＮ（Ｌｏｃａｌ  Ａｒｅａ  Ｎｅｔｗｏｒｋ）搭載端末を所持する場合でも、ユーザが何らかの状況で自身の危機を伝えることができなければ、何も対処することができないという問題がある。例えば、家族等からの安否問い合わせがあった場合でも、場所確認を一から行い、時間がかかるという問題がある。
【０００９】
さらにまた、従来の情報提供方法では、連絡手段がなかったり、安否確認及び救助までの時間がかかったり、また携帯電話機等の音声のみであると、実際の状況がつかみにくく、誤った指示を与え、ユーザの危険度を増すことにもなりかねないという問題がある。
【００１０】
そこで、本発明の目的は上記の問題点を解消し、連絡機関や救助機関が常にユーザの位置を確認することができる無線ＬＡＮシステム、管理者サーバ装置及びそれに用いる情報提供方法並びにそのプログラムを提供することにある。
【課題を解決するための手段】
【００１１】
本発明による無線ＬＡＮシステムは、無線ＬＡＮ（Ｌｏｃａｌ  Ａｒｅａ  Ｎｅｔｗｏｒｋ）通信にて現在位置情報を通知する無線ＬＡＮ搭載携帯端末と、
前記無線ＬＡＮ搭載携帯端末から通知される現在位置情報を管理する管理者サーバ装置と、
前記無線ＬＡＮ搭載携帯端末と前記管理者サーバ装置との間の前記無線ＬＡＮ通信を中継するアクセスポイントと、
前記アクセスポイントの通信可能範囲内に設けられかつ前記管理者サーバ装置から遠隔操作可能な無線ＬＡＮ搭載カメラとを備え、
前記管理者サーバ装置が前記無線ＬＡＮ搭載カメラからの映像に基づいた処理結果を前記無線ＬＡＮ搭載携帯端末に通知している。
【００１２】
本発明による管理者サーバ装置は、無線ＬＡＮ（Ｌｏｃａｌ  Ａｒｅａ  Ｎｅｔｗｏｒｋ）通信にて現在位置情報を通知する無線ＬＡＮ搭載携帯端末から通知される現在位置情報を管理する手段と、前記無線ＬＡＮ搭載携帯端末との間の前記無線ＬＡＮ通信を中継するアクセスポイントの通信可能範囲内に設けられた無線ＬＡＮ搭載カメラを遠隔操作する手段と、前記無線ＬＡＮ搭載カメラからの映像に基づいた処理結果を前記無線ＬＡＮ搭載携帯端末に通知する手段とを備えている。
【００１３】
本発明による情報提供方法は、管理者サーバ装置が、無線ＬＡＮ（Ｌｏｃａｌ  Ａｒｅａ  Ｎｅｔｗｏｒｋ）通信にて現在位置情報を通知する無線ＬＡＮ搭載携帯端末から通知される現在位置情報を管理する処理と、前記無線ＬＡＮ搭載携帯端末との間の前記無線ＬＡＮ通信を中継するアクセスポイントの通信可能範囲内に設けられた無線ＬＡＮ搭載カメラを遠隔操作する処理と、前記無線ＬＡＮ搭載カメラからの映像に基づいた処理結果を前記無線ＬＡＮ搭載携帯端末に通知する処理とを実行している。
【００１４】
本発明による情報提供方法のプログラムは、管理者サーバ装置のコンピュータに、無線ＬＡＮ（Ｌｏｃａｌ  Ａｒｅａ  Ｎｅｔｗｏｒｋ）通信にて現在位置情報を通知する無線ＬＡＮ搭載携帯端末から通知される現在位置情報を管理する処理と、前記無線ＬＡＮ搭載携帯端末との間の前記無線ＬＡＮ通信を中継するアクセスポイントの通信可能範囲内に設けられた無線ＬＡＮ搭載カメラを遠隔操作する処理と、前記無線ＬＡＮ搭載カメラからの映像に基づいた処理結果を前記無線ＬＡＮ搭載携帯端末に通知する処理とを実行させている。
【００１５】
すなわち、本発明の無線ＬＡＮ（Ｌｏｃａｌ  Ａｒｅａ  Ｎｅｔｗｏｒｋ）システムは、山や海をはじめ、屋内や屋外を問わず、あらゆる場所において、遭難、道に迷う、事故を起こす、事故に巻き込まれる等の事故発生の場合、無線ＬＡＮ搭載携帯端末によって確認することのできる現在のユーザ自身の位置情報と、上記の事故発生の事実や内容とを、無線ＬＡＮ通信を用いて連絡機関や救助機関に通知している。位置情報は予め通知しておいてもよい。
【００１６】
ユーザの位置情報を入手する方法は任意とし、ＧＰＳ（Ｇｌｏｂａｌ  Ｐｏｓｉｔｉｏｎｉｎｇ  Ｓｙｓｔｅｍ）搭載携帯端末を用いて把握しても、無線ＬＡＮのアクセスポイントから計測するようにしてもよい。この位置情報はユーザの無線ＬＡＮ搭載携帯端末から、自動的に一定の時間毎に管理者サーバに通知され、連絡機関や救助機関が常にユーザの位置を確認することを可能としている。
【００１７】
情報提供を行う側や救助を行う側は、それらの情報に基づき、通知された場所近辺の遠隔操作可能な無線ＬＡＮ搭載カメラからの映像も情報入手手段として用い、最寄りの安全な場所を判断してユーザに通知し、無線ＬＡＮ搭載携帯端末に地図等を配信し、安全な場所へのガイドを音声や画像を含めて行う。さらに、救助にたどり着くまでの間、遭難者（ユーザ）の状況に応じた指示、例えば怪我の対処や食べ物の案内等を音声・画像を含めて配信する。
【００１８】
また、同行者がはぐれた際も、無線ＬＡＮ搭載携帯端末を用いて、相互通信が可能であり、相互通信ができない場合には、連絡機関や救助機関を経由して同行者に連絡をとることが可能である。
【００１９】
本発明の無線ＬＡＮシステムでは、あらゆる場所に無線ＬＡＮのアクセスポイントを設置し、それと管理者サーバを有線または無線で接続し、連絡機関や救助機関がその管理者サーバから情報を得ている。本発明の無線ＬＡＮシステムでは、それらのアクセスポイントを介し、出発時にユーザがある連絡機関や救助機関に無線ＬＡＮ搭載携帯端末を用いて出発の旨、また到着予定時刻の連絡を送り、自身の位置情報を常にその連絡機関や救助機関がチェック可能な状態にすることで、遭難や事故等が起きた時に、通常の携帯電話機や公衆電話機が使用できない環境であっても、無線ＬＡＮ搭載携帯端末を用いて、連絡機関や救助機関に連絡をすることが可能になる。
【００２０】
本発明の無線ＬＡＮシステムでは、ユーザから事前に出発及び到着予定時刻等の情報を連絡機関や救助機関に連絡することで、ユーザが自ら連絡をとれない状況（無線ＬＡＮが圏外という意味ではなく、例えば、ユーザが重症を負って自ら無線ＬＡＮ搭載携帯端末を操作できないような場合）において、通常の携帯電話機や公衆電話機が使用できない場所でも、事前情報と遠隔操作可能な無線ＬＡＮ搭載カメラを通じて連絡機関や救助機関で状況を把握し、救助を行うことが可能になる。
【００２１】
本発明の無線ＬＡＮシステムでは、ユーザが遭難や救助依頼等の連絡を連絡機関や救助機関に行った場合、ユーザから連絡を受けた連絡機関や救助機関が、ユーザの位置情報と遠隔操作可能な無線ＬＡＮ搭載カメラの映像とから状況を把握することが可能となり、最寄りの安全な場所を判断し、画像や音声を含む情報を配信することが可能になる。
【００２２】
本発明の無線ＬＡＮシステムでは、連絡を受けた連絡機関や救助機関が、ユーザの状況を確認し、負傷している場合に適切な応急処置を画像・音声を含む情報をもって連絡することで、ユーザの危険度を下げることが可能となる。
【００２３】
本発明の無線ＬＡＮシステムでは、ユーザに対して適切な情報提供を行っている間に、救助隊がユーザの位置情報を確認しながら救助に向かうことが可能となるので、ユーザの所在地をさがす時間の短縮が可能となる。
【００２４】
本発明の無線ＬＡＮシステムでは、無線ＬＡＮ搭載カメラの映像を２４時間体制でチェック、またユーザの位置情報を一定の時間毎にチェックすることで、異常があった場合に、特にユーザの連絡がなくても、連絡機関や救助機関がユーザに連絡をとることが可能となる。
【００２５】
本発明の無線ＬＡＮシステムでは、同行者がはぐれた場合、通常の携帯電話機や公衆電話機が使用できない状況であっても、無線ＬＡＮ搭載携帯端末を用いて、相互通信をすることが可能になる。
【００２６】
本発明の無線ＬＡＮシステムでは、同行者がはぐれた場合、通常の携帯電話機や公衆電話機が使用できない状況、かつ無線ＬＡＮ搭載携帯端末を用いても連絡がつかない場合、連絡機関や救助機関経由で同行者の位置情報や安否確認、連絡等を行うことが可能となる。
【発明の効果】
【００２７】
本発明は、以下に述べるような構成及び動作とすることで、連絡機関や救助機関が常にユーザの位置を確認することができるという効果が得られる。
【発明を実施するための最良の形態】
【００２８】
次に、本発明の実施の形態について図面を参照して説明する。図１は本発明の実施の形態による無線ＬＡＮ（Ｌｏｃａｌ  Ａｒｅａ  Ｎｅｔｗｏｒｋ）システムの構成を示すブロック図である。図１において、本発明の実施の形態による無線ＬＡＮシステムは無線ＬＡＮ搭載カメラ１−１〜１−５と、管理者サーバ２と、アクセスポイント（ＡＰ：Ａｃｃｅｓｓ  Ｐｏｉｎｔ）３−１，３−２と、無線ＬＡＮ搭載携帯端末（登録ユーザ）４−１〜４−６と、連絡機関５と、救助機関６とから構成されている。尚、無線ＬＡＮ搭載カメラ１−１〜１−５、アクセスポイント３−１，３−２、無線ＬＡＮ搭載携帯端末４−１〜４−６は図示している数に限るものではない。
【００２９】
無線ＬＡＮのアクセスポイント３−１，３−２は屋内・屋外を問わず、あらゆる場所、特に僻地で従来の携帯電話機の基地局（図示せず）がない場所や混雑する場所等の従来の携帯電話機が圏外となる場所、遭難や事故多発地帯、携帯電話機の普及によって増加した公衆電話機が設置されていない場所に重点的に配置されている。
【００３０】
同様に、無線ＬＡＮのアクセスポイント３−１，３−２からビーコンの届く範囲において、遠隔操作可能な無線ＬＡＮ搭載カメラ１−１〜１−５も屋内・屋外を問わず、あらゆる場所、特に僻地で従来の携帯電話機の基地局がない場所や混雑する場所等の従来の携帯電話機が圏外となる場所、遭難や事故多発地帯、携帯電話機の普及によって増加した公衆電話機が設置されていない場所に重点的に配置されている。
【００３１】
ユーザは出発時に無線ＬＡＮ搭載携帯端末４−１〜４−６を用いて、出発の旨や到着予定時刻等の情報を管理者サーバ２を通して連絡機関５や救助機関６に送り、連絡機関５や救助機関６はユーザの位置情報を確認する。但し、ユーザの位置情報は管理者サーバ２にて保存管理される。
【００３２】
ユーザは出発後、ユーザの無線ＬＡＮ搭載携帯端末４−１〜４−６を用いてユーザの位置情報を一定の時間毎に自動的に管理者サーバ２に通知する。つまり、本発明の実施の形態では、連絡機関５や救助機関６が常にユーザの位置情報及びユーザの置かれた状況を管理者サーバ２を通してチェックできる状態にしている。
【００３３】
ユーザが遭難、道に迷う、事故を起こす、事故に巻き込まれる等の事故が発生した際に、無線ＬＡＮ搭載携帯端末４−１〜４−６によって確認することのできる現在のユーザ自身の位置情報と、遭難、道に迷う、事故を起こす、事故に巻き込まれる等の事故発生とが、無線ＬＡＮ通信によって管理者サーバ２へと送られ、管理者サーバ２から連絡機関５や救助機関６に通知される。
【００３４】
ユーザの位置情報が予め出発時から常に管理者サーバ２に通知されている場合には、ユーザの位置情報の通知は不要である。ユーザの位置情報が予め出発時に通知されていない場合には、ユーザが現在の位置情報をＧＰＳ（Ｇｌｏｂａｌ  Ｐｏｓｉｔｉｏｎｉｎｇ  Ｓｙｓｔｅｍ）搭載携帯端末（図示せず）によって把握する、もしくは無線ＬＡＮのアクセスポイント３−１，３−２からその距離を計測する等することで把握することができる。
【００３５】
このユーザの位置情報は無線ＬＡＮ搭載携帯端末４−１〜４−６から無線ＬＡＮのアクセスポイント３−１，３−２を介して、無線通信にて管理者サーバ２に送られ、管理者サーバ２から連絡機関５や救助機関６に通知される。情報を提供する側や救助を行う側は、それらの情報に基づき、通知された場所近辺の遠隔操作可能な無線ＬＡＮ搭載カメラ１−１〜１−５からの映像も情報入手手段として用い、最寄りの安全な場所を判断してユーザに通知し、無線ＬＡＮ搭載携帯端末４−１〜４−６に地図等の情報を配信し、安全な場所へのガイドを音声や画像を含む情報にて行う。
【００３６】
また、救助にたどり着くまでの間、救助を待つ間に二次災害にあったり、怪我の治療等で一刻を争う、または救助に向かわなくても遠隔操作で自力で助かる等の遭難者（ユーザ）の状況に応じた指示、例えば怪我の対処や食べ物の案内等を音声や画像を含む情報にて配信する。
【実施例１】
【００３７】
次に、本発明の一実施例について説明する。本発明の一実施例による無線ＬＡＮシステムは、図１に示す本発明の実施の形態による無線ＬＡＮシステムと同様の構成となっている。つまり、本発明の一実施例による無線ＬＡＮシステムは無線ＬＡＮ搭載カメラ１−１〜１−５と、管理者サーバ２と、アクセスポイント３−１，３−２と、無線ＬＡＮ搭載携帯端末４−１〜４−６と、連絡機関５と、救助機関６とから構成されている。
【００３８】
図２は本発明の一実施例による管理者サーバ２の構成を示すブロック図である。図２において、管理者サーバ２は各部の制御を行うＣＰＵ（中央処理装置）２１と、ＣＰＵ２１が実行する制御プログラム２２ａを格納するメインメモリ２２と、ＣＰＵ２１が制御プログラム２２ａを実行する際に作業領域として使用する記憶装置２３と、ユーザに提供する地図や写真等の画像情報を蓄積する画像情報蓄積部２４と、アクセスポイント３−１，３−２、連絡機関５、救助機関６との間の通信を制御する通信制御部２５とから構成されている。
【００３９】
記憶装置２３はユーザから登録される出発時刻・目的地・予定到着時刻等の予定情報やユーザ自身の情報（住所、氏名、年齢等）、連絡先等を保持するユーザ情報保持領域２３１と、無線ＬＡＮ搭載携帯端末４−１〜４−６から定期的に送られてくるユーザの位置情報を保持するユーザ位置情報保持領域２３２と、あらゆる場所に配置されたアクセスポイント３−１，３−２の位置情報や無線ＬＡＮ搭載カメラ１−１〜１−５の位置情報等を保持するアクセスポイント情報保持領域２３２とを備えている。尚、管理者サーバ２内において、ＣＰＵ２１、メインメモリ２２、記憶装置２３、画像情報蓄積部２４、通信制御部２５はそれぞれ内部バス２１０に接続されている。
【００４０】
図３及び図４は図２に示す管理者サーバ２の動作を示すフローチャートである。これら図１〜図４を参照して本発明の一実施例による無線ＬＡＮシステムの動作について説明する。尚、図３及び図４に示す処理は管理者サーバ２において、ＣＰＵ２１が制御プログラム２２ａを実行することで実現される。
【００４１】
まず、管理者サーバ２はユーザの出発時に、無線ＬＡＮ搭載携帯端末４−１〜４−６から出発時刻・目的地・予定到着時刻等の予定情報を受信すると（図３ステップＳ１）、その予定情報をユーザ情報保持領域２３１に保持する（図３ステップＳ２）。この時、管理者サーバ２はこの予定情報を連絡機関５や救助機関６へ連絡する。
【００４２】
管理者サーバ２は無線ＬＡＮ搭載携帯端末４−１〜４−６から定期的に連絡されるユーザの位置情報を受信できない場合（図３ステップＳ３）、ユーザの位置情報を受信しても予定時刻を予め設定された所定時間以上、超過した場合（図３ステップＳ４）、予定到着時刻内に目的地（例えば、下山位置、宿泊地等）に到着しなかった場合（図３ステップＳ５）、遭難、道に迷う、事故に遭遇したと判断して、その旨を連絡機関５や救助機関６にユーザの位置情報とともに連絡する（図３ステップＳ６）。ここで、ユーザが上記の事故等に遭遇せず、無事に目的地に到着、または帰宅した場合、管理者サーバ２はその旨を連絡機関５や救助機関６に連絡し、通信処理を終了する。
【００４３】
また、管理者サーバ２はユーザの位置情報から確認されたユーザの所在地近辺の遠隔操作可能な無線ＬＡＮ搭載カメラ１−１〜１−５からの映像やユーザから通知された現在の状況説明（画像、文字、音声を含む）等の情報を連絡機関５や救助機関６に転送する（図３ステップＳ７）。この場合、連絡機関５や救助機関６ではユーザの位置情報や管理者サーバ２から転送されてきた情報からユーザの事故状況等を収集判断する。
【００４４】
ここで、管理者サーバ２は無線ＬＡＮ搭載カメラ１−１〜１−５の最寄りのアクセスポイント３−１，３−２を介して遠隔操作することができ、無線ＬＡＮ搭載カメラ１−１〜１−５からの映像情報を最寄りのアクセスポイント３−１，３−２を介して収集することができる。また、管理者サーバ２でのユーザの判別は、ユーザのＩＤ（識別情報）、すなわちＭＡＣ（Ｍｅｄｉａ  Ａｃｃｅｓｓ  Ｃｏｎｔｒｏｌ）アドレスや出発時に通知されてきた内容を総合した情報によって行われる。管理者サーバ２はそのユーザの判別結果を連絡機関５や救助機関６に送る。
【００４５】
連絡機関５や救助機関６では、管理者サーバ２から転送されてきた情報による事故状況等の収集判断の結果を基に、ユーザには特に危険がなく、救助に向かう必要がなく、情報提供のみで自力で危険を脱せるかどうかを判断し、その判断結果を管理者サーバ２に送信する。
【００４６】
管理者サーバ２は連絡機関５や救助機関６の判断結果が救助に向かう必要がないとの判断の場合（図３ステップＳ８）、現在のユーザの位置情報を基に、地図や実際の画像、及び音声等を含む帰路情報を無線ＬＡＮ搭載携帯端末４−１〜４−６に送って、目的地や帰宅への案内を提供する（図３ステップＳ９）。ここで、ユーザが無事に目的地に到着、または帰宅したことを通知してきた場合（図３ステップＳ１０）、管理者サーバ２はその旨を連絡機関５や救助機関６に連絡し、通信処理を終了する。
【００４７】
一方、管理者サーバ２は連絡機関５や救助機関６の判断結果がユーザに対して救助の必要があるとの判断の場合（図３ステップＳ８）、連絡機関５や救助機関６からの通知（無線ＬＡＮ搭載カメラ１−１〜１−５からの画像を用いて判断されたユーザの最寄りの安全な場所の通知）を基に、地図や画像、音声を無線ＬＡＮ搭載携帯端末４−１〜４−６に送って、ユーザの安全な場所（避難所）への避難誘導を行う（図３ステップＳ１１）。
【００４８】
その際、連絡機関５や救助機関６では無線ＬＡＮ搭載カメラ１−１〜１−５からの画像情報から、ユーザが負傷しているのか、または二次災害の可能性、ユーザの位置する場所自体の危険性等が判断されて送られてくるので、管理者サーバ２は連絡機関５や救助機関６で負傷または危険性があると判断された場合（図４ステップＳ１２）、怪我の応急処置・環境に対する安全対策・食料の案内等、現在、ユーザが必要だと判断される情報を画像や音声等で無線ＬＡＮ搭載携帯端末４−１〜４−６に送って、それらの情報の提供を行う（図４ステップＳ１３）。
【００４９】
また、管理者サーバ２は連絡機関５や救助機関６で負傷または危険性がないと判断された場合（図４ステップＳ１２）、または負傷や危険がある場合の情報提供を行いつつ、連絡機関５や救助機関６から救助隊派遣が通知され（図４ステップＳ１４）、連絡機関５や救助機関６から救助隊が誘導した避難所に救助に向かって、ユーザを救出したことが通知されると（図４ステップＳ１５）、通信処理を終了する。
【００５０】
このように、本実施例では、僻地で従来の携帯電話機の基地局がない場所や混雑する場所等の携帯電話機が圏外となる場所、遭難や事故多発地帯、携帯電話機の普及によって増加した公衆電話機が設置されていない場所に重点的に無線ＬＡＮのアクセスポイント３−１，３−２を設置し、ユーザの無線ＬＡＮ搭載携帯端末４−１〜４−６との情報のやりとりを管理者サーバ２で吸い上げることによって、連絡機関５や救助機関６に対してユーザが危険を知らせることができる。
【００５１】
よって、本実施例では、僻地で従来の携帯電話機の基地局がない場所や、混雑する場所等の携帯電話機が圏外となる場所、遭難や事故多発地帯、携帯電話機の普及によって増加した公衆電話機が設置されていない場所であっても、遭難、道に迷う、事故に遭遇する等した場合に、無線ＬＡＮ搭載携帯端末４−１〜４−６を用いて無線ＬＡＮ通信経由で連絡機関５や救助機関６に連絡することができる。
【００５２】
また、本実施例では、連絡機関５や救助機関６が、管理者サーバ２から転送されてくるユーザの位置情報、ユーザから通知された現在の状況説明（画像・文字・音声を含む）、位置情報から確認されたユーザの所在地近辺の遠隔操作可能な無線ＬＡＮ搭載カメラ１−１〜１−５からの映像等の情報を基に、ユーザの現状を判断することができる。
【００５３】
よって、本実施例では、遭難、道に迷う、事故に遭遇するなどした場合に、連絡機関５や救助機関６に連絡後、連絡機関５や救助機関６が救助の必要性に応じて、情報提供のみでよいか、救助の必要があるかを判断し、救助の必要がない場合、無駄に足を運ぶ必要がなくなり、時間や救助隊の人数を削減することができる。
【００５４】
さらに、本実施例では、ユーザの位置情報が一定の時間毎に自動的に無線ＬＡＮのアクセスポイント３−１，３−２を介して管理者サーバ２に通知され、その情報が連絡機関５や救助機関６に転送されるので、連絡機関５や救助機関６において常にユーザの位置情報を把握することができる。
【００５５】
よって、本実施例では、救助に向かう必要のない場合に、現在のユーザの位置を基に地図や実際の画像、音声等を含む帰路情報を提供して案内し、到着後、ユーザからの到着の旨を管理者サーバ２が連絡機関５や救助機関６に転送することによって、無事目的地に到着したり、帰宅することができたかどうかを連絡機関５や救助機関６が直接向かわなくても判断することできる。
【００５６】
さらにまた、本実施例では、管理者サーバ２を介して収集された情報を基に、連絡機関５や救助機関６がユーザの最寄りの安全な場所を、遠隔操作可能な無線ＬＡＮ搭載カメラ１−１〜１−５からの実際の画像で判断してユーザの避難誘導を行うことができる。よって、本実施例では、ユーザに救助の必要がある場合、連絡機関５や救助機関６が管理者サーバ２を介して収集された情報からユーザの最寄りの安全な場所をより現実的な判断で提供することができる。
【００５７】
上記の場合、本実施例では、遠隔操作可能な無線ＬＡＮ搭載カメラ１−１〜１−５からの情報を基に、ユーザの負傷の有無、二次災害の可能性、ユーザが位置する場所自体の危険性等を判断することができ、負傷または危険性がある場合に、怪我の応急処置、環境に対する安全対策、食料の案内等の実際にユーザが現在必要だと判断される情報を画像や音声等で提供することができる。よって、本実施例では、ユーザが現在必要だと判断される情報を画像や音声等で提供することで、ユーザの危険性をさげ、生存率をあげることができる。
【００５８】
また、本実施例では、ユーザに対して避難誘導をする際もユーザの位置情報を常に確認することができるため、事前にユーザに誘導した避難所に救助隊を迷わず救助に向かわせることができ、救助までの時間を短縮することができる。
【実施例２】
【００５９】
次に、本発明の他の実施例について説明する。本発明の他の実施例による無線ＬＡＮシステムは、図１に示す本発明の実施の形態による無線ＬＡＮシステムと同様の構成となっている。つまり、本発明の他の実施例による無線ＬＡＮシステムは無線ＬＡＮ搭載カメラ１−１〜１−５と、管理者サーバ２と、アクセスポイント３−１，３−２と、無線ＬＡＮ搭載携帯端末４−１〜４−６と、連絡機関５と、救助機関６とから構成されている。
【００６０】
また、本発明の他の実施例による管理者サーバは図２に示す本発明の一実施例による管理者サーバ２と同様の構成となっている。つまり、本発明の他の実施例による管理者サーバはＣＰＵ２１と、メインメモリ２２と、記憶装置２３と、画像情報蓄積部２４と、通信制御部２５とから構成されている。
【００６１】
本実施例においても、無線ＬＡＮのアクセスポイント３−１，３−２を、屋内や屋外を問わず、あらゆる場所、特に僻地で従来の携帯電話機の基地局がない場所や混雑する場所等の携帯電話機が圏外となる場所、遭難や事故多発地帯、携帯電話機の普及によって増加した公衆電話機が設置されていない場所に重点的に配置している。
【００６２】
本実施例では、上記と同様に、無線ＬＡＮのアクセスポイント３−１，３−２からビーコンの届く範囲において、遠隔操作可能な無線ＬＡＮ搭載カメラ１−１〜１−５を、屋内や屋外を問わず、あらゆる場所、特に僻地で従来の携帯電話機の基地局がない場所や混雑する場所等の携帯電話機が圏外となる場所、遭難や事故多発地帯、携帯電話の普及によって増加した公衆電話機が設置されていない場所に重点的に配置している。
【００６３】
ユーザは出発時に、無線ＬＡＮ搭載携帯端末４−１〜４−６を用いて、出発の旨、到着予定時刻等の予定情報を管理者サーバ２に送るので、その予定情報が管理者サーバ２から連絡機関５や救助機関６に転送され、連絡機関５や救助機関６においてユーザの位置情報を確認することが可能となる。ユーザが出発後、ユーザの無線ＬＡＮ搭載携帯端末４−１〜４−６からユーザの位置情報が一定の時間毎に自動的に管理者サーバ２に通知される。つまり、連絡機関５や救助機関６は常に管理者サーバ２を通してユーザの位置情報及びユーザの置かれた状況をチェックすることができる状態となる。
【００６４】
ユーザが遭難、道に迷う、事故を起こす、事故に巻き込まれる等した際、負傷等のなんらかの原因で、自ら連絡をとれない状況（例えば、ユーザが重症を負って自ら無線ＬＡＮ搭載携帯端末４−１〜４−６を操作できないような状況）であっても、到着予定時刻を大幅に過ぎた場合、家族等のユーザに関連する人物から安否の確認の依頼等があった場合に、無線ＬＡＮ搭載携帯端末４−１〜４−６によって確認することのできる現在のユーザの位置情報及びその周辺に設置されている遠隔操作可能な無線ＬＡＮ搭載カメラ１−１〜１−５を用い、管理者サーバ２を通して、連絡機関５や救助機関６が情報を収集してユーザの状況を確認する。
【００６５】
ここで、ユーザの位置情報はユーザの使用するＧＰＳ搭載携帯端末を用いて把握した位置情報、無線ＬＡＮのアクセスポイント３−１，３−２から計測された位置情報でもよい。また、この位置情報はユーザの無線ＬＡＮ搭載携帯端末４−１〜４−６から一定の時間毎に自動的に無線ＬＡＮのアクセスポイント３−１，３−２を介して管理者サーバ２に送られるので、管理者サーバ２から連絡機関５や救助機関６に通知される。
【００６６】
また、連絡機関５や救助機関６は、無線ＬＡＮ搭載カメラ１−１〜１−５からの映像を２４時間体制でチェックしたり、管理者サーバ２に送られているユーザの位置情報を一定の時間毎にチェックしており、それらの情報から異常が検出された場合に、特にユーザからの連絡がなくても、連絡機関５や救助機関６がユーザに連絡をとっている。
【００６７】
情報を提供する連絡機関５や救助を行う救助機関６は、それらの情報に基づいてユーザに危険があったと判断した場合、ユーザが動ける状態であれば、通知された場所近辺の遠隔操作可能な無線ＬＡＮ搭載カメラ１−１〜１−５からの映像をも情報入手手段として用い、最寄りの安全な場所を判断してユーザに通知し、無線ＬＡＮ搭載携帯端末４−１〜４−６に地図等の情報を配信し、安全な場所へのガイドを音声や画像を含む情報にて行う。
【００６８】
さらに、救助にたどり着くまでの間、救助を待つ間に二次災害にあったり、怪我の治療等で一刻を争う、または救助に向かわなくても遠隔操作で自力で助かる等の遭難者（ユーザ）の状況に応じた指示、例えば怪我の対処や食べ物の案内等を音声や画像を含む情報にて配信する。
【００６９】
図５及び図６は本発明の他の実施例による管理者サーバの動作を示すフローチャートである。これら図１と図２と図５と図６とを参照して本発明の他の実施例による無線ＬＡＮシステムの動作について説明する。尚、図５及び図６に示す処理は管理者サーバ２においてＣＰＵ２１が制御プログラム２２ａを実行することで実現される。
【００７０】
まず、管理者サーバ２はユーザの出発時に、無線ＬＡＮ搭載携帯端末４−１〜４−６から出発時刻・目的地・予定到着時刻等の予定情報を受信すると（図５ステップＳ２１）、その予定情報をユーザ情報保持領域２３１に保持する（図５ステップＳ２２）。この時、管理者サーバ２はこの予定情報を連絡機関５や救助機関６へ連絡する。
【００７１】
管理者サーバ２は特にユーザからの連絡がない場合でも、ユーザの家族等の関連する人物からの安否確認があった場合（図５ステップＳ２３）、無線ＬＡＮ搭載携帯端末４−１〜４−６から定期的に連絡されるユーザの位置情報を受信できない場合（図５ステップＳ２４）、ユーザの位置情報を受信しても予定時刻を予め設定された所定時間以上、超過した場合（図５ステップＳ２５）、予定到着時刻内に目的地（例えば、下山位置、宿泊地等）に到着しなかった場合（図５ステップＳ２６）、遭難、道に迷う、事故に遭遇したと判断して、その旨を連絡機関５や救助機関６にユーザの位置情報とともに連絡する（図５ステップＳ２７）。ここで、ユーザが上記の事故等に遭遇せず、無事に目的地に到着、または帰宅した場合、管理者サーバ２はその旨を連絡機関５や救助機関６に連絡し、通信処理を終了する。
【００７２】
また、管理者サーバ２はユーザの位置情報から確認されたユーザの所在地近辺の遠隔操作可能な無線ＬＡＮ搭載カメラ１−１〜１−５からの映像やユーザから通知された現在の状況説明（画像、文字、音声を含む）等の情報を連絡機関５や救助機関６に転送する（図５ステップＳ２８）。この場合、連絡機関５や救助機関６ではユーザの位置情報や管理者サーバ２から転送されてきた情報からユーザの事故状況等を収集判断する。
【００７３】
ここで、管理者サーバ２は無線ＬＡＮ搭載カメラ１−１〜１−５の最寄りのアクセスポイント３−１，３−２を介して遠隔操作することができ、無線ＬＡＮ搭載カメラ１−１〜１−５からの映像情報を最寄りのアクセスポイント３−１，３−２を介して収集することができる。また、管理者サーバ２でのユーザの判別は、ユーザのＩＤ、すなわちＭＡＣアドレスや出発時に通知されてきた内容を総合した情報によって行われる。管理者サーバ２はそのユーザの判別結果を連絡機関５や救助機関６に送る。
【００７４】
連絡機関５や救助機関６では、管理者サーバ２から転送されてきた情報による事故状況等の収集判断の結果を基に、ユーザには特に危険がなく、救助に向かう必要がなく、情報提供のみで自力で危険を脱せるかどうかを判断し、その判断結果を管理者サーバ２に送信する。その際、遭難、道に迷う、事故に遭遇する等の特にユーザに異常があった場合、管理者サーバ２は連絡機関５や救助機関６からユーザの無線ＬＡＮ搭載携帯端末４−１〜４−６への連絡を通知する（図５ステップＳ２９）。
【００７５】
管理者サーバ２は連絡機関５や救助機関６からユーザが動ける状況かどうかの確認結果が通知されると、ユーザが動ける状況で（図５ステップＳ３０）、連絡機関５や救助機関６が収集した情報を基にユーザに特に危険がなく、情報提供のみで自力で危険を脱せるで、救助に向かう必要がないと判断した場合（図６ステップＳ３１）、現在のユーザの位置情報を基に、地図や実際の画像、及び音声等を含む帰路情報を無線ＬＡＮ搭載携帯端末４−１〜４−６に送って、目的地や帰宅への案内を提供する（図６ステップＳ３２）。ここで、ユーザが無事に目的地に到着、または帰宅したことを通知してきた場合（図５ステップＳ３３）、管理者サーバ２はその旨を連絡機関５や救助機関６に連絡し、通信処理を終了する。
【００７６】
一方、管理者サーバ２はユーザが動けない状況である場合（図５ステップＳ３０）、あるいはユーザが動ける状況で、連絡機関５や救助機関６が収集した情報を基に救助に向かう必要があると判断した場合（図６ステップＳ３１）、連絡機関５や救助機関６からの通知（無線ＬＡＮ搭載カメラ１−１〜１−５からの画像を用いて判断されたユーザの最寄りの安全な場所の通知）を基に、地図や画像、音声を無線ＬＡＮ搭載携帯端末４−１〜４−６に送って、ユーザの安全な場所（避難所）への避難誘導を行う（図６ステップＳ３４）。
【００７７】
その際、連絡機関５や救助機関６では無線ＬＡＮ搭載カメラ１−１〜１−５からの画像情報から、ユーザが負傷しているのか、または二次災害の可能性、ユーザの位置する場所自体の危険性等が判断されて送られてくるので、管理者サーバ２は連絡機関５や救助機関６で負傷または危険性があると判断された場合（図６ステップＳ３５）、怪我の応急処置・環境に対する安全対策・食料の案内等、現在、ユーザが必要だと判断される情報を画像や音声等で無線ＬＡＮ搭載携帯端末４−１〜４−６に送って、それらの情報の提供を行う（図６ステップＳ３６）。
【００７８】
また、管理者サーバ２は連絡機関５や救助機関６で負傷または危険性がないと判断された場合（図６ステップＳ３５）、または負傷や危険がある場合の情報提供を行いつつ、連絡機関５や救助機関６から救助隊派遣が通知され（図６ステップＳ３７）、連絡機関５や救助機関６から救助隊が誘導した避難所に救助に向かって、ユーザを救出したことが通知されると（図６ステップＳ３８）、通信処理を終了する。
【００７９】
このように、本実施例では、上記の本発明の一実施例の効果のほかに、家族等からの安否確認があったり、連絡機関５や救助機関６が、管理者サーバ２によってユーザの無線ＬＡＮ搭載携帯端末４−１〜４−６から収集された情報を基に、到着予定時刻を大幅に過ぎていたり、ユーザの位置情報に異常があったことを認知して、ユーザに連絡をとることができる。よって、本実施例では、ユーザが事故等に遭遇し、ユーザ自身が負傷等で連絡をとれない場合でも、連絡機関５や救助機関６が危険を察知して救助することができ、ユーザの危険性をさげ、生存率をあげることができる。
【００８０】
また、本実施例では、管理者サーバ２によってユーザの無線ＬＡＮ搭載携帯端末４−１〜４−６から収集された情報を基に、現在の状況をリアルタイムに認知することができ、ユーザに連絡をとることができるため、ユーザが動けない状況でも、適切な指示を与え、ユーザの危険性をさげ、生存率をあげることができる。
【実施例３】
【００８１】
図７は本発明の別の実施例による無線ＬＡＮシステムの構成を示す図である。図７において、本発明の別の実施例による無線ＬＡＮシステムは無線ＬＡＮ搭載携帯端末４−１〜４−６相互に通信できるようにした以外は、図１に示す本発明の実施の形態による無線ＬＡＮシステムと同様の構成となっており、同一構成要素には同一符号を付してある。つまり、本発明の別の実施例による無線ＬＡＮシステムは無線ＬＡＮ搭載カメラ１−１〜１−５と、管理者サーバ２と、アクセスポイント３−１，３−２と、無線ＬＡＮ搭載携帯端末４−１〜４−６と、連絡機関５と、救助機関６とから構成されている。
【００８２】
また、本発明の別の実施例による管理者サーバは図２に示す本発明の一実施例による管理者サーバ２と同様の構成となっている。つまり、本発明の他の実施例による管理者サーバはＣＰＵ２１と、メインメモリ２２と、記憶装置２３と、画像情報蓄積部２４と、通信制御部２５とから構成されている。
【００８３】
本実施例においても、無線ＬＡＮのアクセスポイント３−１，３−２を、屋内や屋外を問わず、あらゆる場所、特に僻地で従来の携帯電話機の基地局がない場所や混雑する場所等の携帯電話機が圏外となる場所、遭難や事故多発地帯、携帯電話機の普及によって増加した公衆電話機が設置されていない場所に重点的に配置している。
【００８４】
本実施例では、上記と同様に、無線ＬＡＮのアクセスポイント３−１，３−２からビーコンの届く範囲において、遠隔操作可能な無線ＬＡＮ搭載カメラ１−１〜１−５を、屋内や屋外を問わず、あらゆる場所、特に僻地で従来の携帯電話機の基地局がない場所や混雑する場所等の携帯電話機が圏外となる場所、遭難や事故多発地帯、携帯電話の普及によって増加した公衆電話機が設置されていない場所に重点的に配置している。
【００８５】
図８は本発明の別の実施例による管理者サーバの動作を示すフローチャートである。これら図１と図２と図７と図８とを参照して本発明の別の実施例による無線ＬＡＮシステムの動作について説明する。尚、図８に示す処理は管理者サーバ２においてＣＰＵ２１が制御プログラム２２ａを実行することで実現される。
【００８６】
まず、管理者サーバ２はユーザの出発時に、無線ＬＡＮ搭載携帯端末４−１〜４−６から出発時刻・目的地・予定到着時刻等の予定情報を受信すると（図８ステップＳ４１）、その予定情報をユーザ情報保持領域２３１に保持する（図８ステップＳ４２）。この時、管理者サーバ２はこの予定情報を連絡機関５や救助機関６へ連絡する。
【００８７】
次に、管理者サーバ２はユーザに同行者がおり、ユーザが同行者と逸れ、さらに同行者と連絡が取れないために、無線ＬＡＮ搭載携帯端末４−１〜４−６から連絡機関５や救助機関６への同行者の位置情報及び安否の確認が通知されてくると（図８ステップＳ４３）、連絡機関５や救助機関６へ同行者の位置情報及び安否の確認を通知する（図８ステップＳ４４）。尚、この場合、同行者もユーザと同様に、出発時刻・目的地・予定到着時刻等の予定情報が無線ＬＡＮ搭載携帯端末４−１〜４−６から管理者サーバ２に通知することで、連絡機関５や救助機関６に連絡しておく必要がある。ここで、ユーザが同行者がいる時に、同行者と逸れたが、同行者と連絡がとれる場合、もしくは同行者と逸れていない場合、管理者サーバ２は通信処理を終了する。
【００８８】
また、ユーザから同行者の位置情報や安否確認の依頼があると、連絡機関５や救助機関６はユーザ及び同行者各々の位置情報から両者の落ち合う安全な場所を地図や遠隔操作可能な無線ＬＡＮ搭載カメラ１−１〜１−５からの映像等で判別し、ユーザと同行者とが落ち合う場所を指定する。管理者サーバ２は連絡機関５や救助機関６からの指定に基づいて、その指定された場所の案内地図等の情報をユーザ及び同行者各々の無線ＬＡＮ搭載携帯端末４−１〜４−６に配信する（図８ステップＳ４５）。
【００８９】
管理者サーバ２は、ユーザが同行者と合流できたことが通知されると（図８ステップＳ４６）、ユーザが合流できたことを連絡機関５や救助機関６に通知し（図８ステップＳ４７）、連絡機関５や救助機関６から位置情報にてユーザと同行者との合流確認が通知されてくると（図８ステップＳ４８）、通信処理を終了する。ここで、ユーザと同行者とが合流できなかった場合には、再度、ユーザが連絡機関５や救助機関６に同行者の位置情報等を確認し、ステップＳ４３〜Ｓ４８の処理を繰り返す。
【００９０】
このように、本実施例では、僻地で従来の携帯電話機の基地局がない場所や混雑する場所等の従来の携帯電話機が圏外となる場所、遭難や事故多発地帯、携帯電話機の普及によって増加した公衆電話機が設置されていない場所に重点的に無線ＬＡＮのアクセスポイント３−１，３−２を設置し、そのアクセスポイント３−１，３−２とユーザの無線ＬＡＮ搭載携帯端末４−１〜４−６との間の情報のやりとりを管理者サーバ２で吸い上げることによって、連絡機関５や救助機関６がユーザ及び同行者の位置情報を認知することができる。
【００９１】
よって、本実施例では、僻地で従来の携帯電話機の基地局がない場所や、混雑する場所等の携帯電話機が圏外となる場所、遭難や事故多発地帯、携帯電話機の普及によって増加した公衆電話機が設置されていない場所であっても、連絡機関５や救助機関６にユーザが同行者と逸れた場合、無線ＬＡＮ搭載携帯端末４−１〜４−６を用いて連絡機関５や救助機関６から連絡を受けることができる。
【００９２】
また、本実施例では、連絡機関５や救助機関６が、管理者サーバ２で収集された情報を基に、ユーザ及び同行者両者の位置情報が分かることから、最適な安全な場所を遠隔操作可能な無線ＬＡＮ搭載カメラ１−１〜１−５を用いて実際の画像で判断して誘導を行うことができるため、ユーザ及び同行者が合流できない場合も、適切な指示を与えることができる。よって、本実施例では、ユーザと同行者とが逸れた場合、連絡機関５や救助機関６が、管理者サーバ２で収集された情報を基に、収集した情報からユーザおよび同行者に最適な安全な場所をより現実的な判断で提供することができる。
【００９３】
さらに、本実施例では、ユーザ及び同行者の無線ＬＡＮ搭載携帯端末４−１〜４−６から収集した情報から、現在の状況をリアルタイムに認知することができ、ユーザに連絡をとることができるため、ユーザ及び同行者が合流できない場合も、適切な指示を与えることができる。
【産業上の利用可能性】
【００９４】
本発明は、屋内や屋外を問わず、僻地で従来の携帯電話機の基地局がない場所や混雑する場所、遭難や事故多発地帯、携帯電話機の普及によって増加した公衆電話機が設置されていない場所を中心としたあらゆる場所での情報提供手段、情報入手手段、救助依頼手段、救助活動手段、連絡手段に適用することが可能である。
【００９５】
また、本発明は、ユーザが認識していなくても、天気等の自然災害を連絡機関や救助機関から事前に情報配信することや、設置された遠隔操作可能な無線ＬＡＮ搭載カメラを用いて画像を含む名所案内、また動物園や水族館等の生物が隠れていて見えない場合、遠隔操作可能な無線ＬＡＮ搭載カメラを遠隔操作し、その生物の現在の画像をユーザに提供するといった用途にも適用可能である。
【図面の簡単な説明】
【００９６】
【図１】本発明の実施の形態による無線ＬＡＮシステムの構成を示すブロック図である。
【図２】本発明の一実施例による管理者サーバの構成を示すブロック図である。
【図３】図２に示す管理者サーバの動作を示すフローチャートである。
【図４】図２に示す管理者サーバの動作を示すフローチャートである。
【図５】本発明の他の実施例による管理者サーバの動作を示すフローチャートである。
【図６】本発明の他の実施例による管理者サーバの動作を示すフローチャートである。
【図７】本発明の別の実施例による無線ＬＡＮシステムの構成を示す図である。
【図８】本発明の別の実施例による管理者サーバの動作を示すフローチャートである。
【符号の説明】
【００９７】
１−１〜１−５  無線ＬＡＮ搭載カメラ
２  管理者サーバ
３−１，３−２  アクセスポイント
４−１〜４−６  無線ＬＡＮ搭載携帯端末
５  連絡機関
６  救助機関
２１  ＣＰＵ
２２  メインメモリ
２２ａ  制御プログラム
２３  記憶装置
２４  画像情報蓄積部
２５  通信制御部
２１０  内部バス
２３１  ユーザ情報保持領域
２３２  ユーザ位置情報保持領域
２３３  アクセスポイント情報保持領域
【図１】
2007116296.tif 000003
【図２】
2007116296.tif 000004
【図３】
2007116296.tif 000005
【図４】
2007116296.tif 000006
【図５】
2007116296.tif 000007
【図６】
2007116296.tif 000008
【図７】
2007116296.tif 000009
【図８】
2007116296.tif 000010